(57)【要約】  バックミラーアセンブリは、そこから延在するマウントを有するハウジングと、ハウジング内に配置された回路基板と、ヒートシンクに近接したエアムーバと、を含む。エアムーバは、入口からハウジング内に周囲空気を引き込むように構成される。エアムーバと流体連通するチャネルが、ハウジング内に引き込まれる空気をヒートシンクの上部を横切って方向付けるように構成される。バックミラーアセンブリはまた、マウントに隣接しチャネルと流体接続する出口を備える。
2021519238.tif 000002
【特許請求の範囲】
【請求項１】
バックミラーアセンブリであって、
そこから延在するマウントを含むハウジングと、
前記ハウジング内に配置された回路基板と、
ヒートシンクに近接したエアムーバであって、入口から前記ハウジング内に周囲空気を引き込むように構成されたエアムーバと、
前記ハウジング内に配置されたチャネルであって、当該チャネルが前記エアムーバと流体連通し、前記ハウジング内に引き込まれる前記空気を前記ヒートシンクの上部を横切って方向付けるように構成されたチャネルと、
前記チャネルと流体接続しており、前記マウントに隣接している出口と、
を備えたことを特徴とするバックミラーアセンブリ。
【請求項２】
車両の外部風景の画像を表示するように構成された表示装置
を更に備えたことを特徴とする請求項１に記載のバックミラーアセンブリ。
【請求項３】
前記入口は、前記エアムーバの下方に、且つ、下側ボタンアセンブリに隣接して、配置されている
ことを特徴とする請求項１または２に記載のバックミラーアセンブリ。
【請求項４】
前記エアムーバは、前記ヒートシンクに結合されている
ことを特徴とする請求項１乃至３のいずれか一項に記載のバックミラーアセンブリ。
【請求項５】
概して明るい状態と概して暗い状態との間で動作可能な電気光学アセンブリ
を更に備えたことを特徴とする請求項１乃至４のいずれか一項に記載のバックミラーアセンブリ。
【請求項６】
前記チャネルは、前記ハウジングの後部壁の内側表面と一体的に形成されたフランジによって少なくとも部分的に画定されている
ことを特徴とする請求項１乃至５のいずれか一項に記載のバックミラーアセンブリ。
【請求項７】
前記チャネルと流体連通する通気孔
を更に備え、
前記通気孔は、前記ハウジングを通して画定されるマウント開口部に近接して位置付けられている
ことを特徴とする請求項１乃至６のいずれか一項に記載のバックミラーアセンブリ。
【請求項８】
前記エアムーバ及び前記チャネルは、前記ハウジングの下部を通して画定される前記入口と流体連通している
ことを特徴とする請求項１乃至７のいずれか一項に記載のバックミラーアセンブリ。
【請求項９】
バックミラーアセンブリであって、
電気光学アセンブリ及び表示モジュールを有するハウジングと、
前記ハウジング内に配置された回路基板と、
ヒートシンクに近接したエアムーバであって、入口から前記ハウジング内に周囲空気を引き込むように構成されたエアムーバと、
前記エアムーバと流体連通し、前記ハウジング内に引き込まれる前記空気を前記ヒートシンクの上部を横切って方向付けるように構成されたチャネルと、
前記ハウジングの後方壁内の出口と、
を備えたことを特徴とするバックミラーアセンブリ。
【請求項１０】
前記チャネルと流体連通する通気孔
を更に備え、
前記通気孔は、前記ハウジングを通して画定されるマウント開口部に近接して位置付けられている
ことを特徴とする請求項９に記載のバックミラーアセンブリ。
【請求項１１】
前記電気光学アセンブリは、概して明るい状態と概して暗い状態との間で動作可能である
ことを特徴とする請求項９または１０に記載のバックミラーアセンブリ。
【請求項１２】
車両の外部風景の画像を表示するように構成された表示装置
を更に備えたことを特徴とする請求項９乃至１１のいずれか一項に記載のバックミラーアセンブリ。
【請求項１３】
前記エアムーバ及び前記チャネルは、前記ハウジングの下部を通して画定される前記入口と流体連通している
ことを特徴とする請求項９乃至１２のいずれか一項に記載のバックミラーアセンブリ。
【請求項１４】
前記エアムーバは、前記ヒートシンクに結合されている
ことを特徴とする請求項９乃至１３のいずれか一項に記載のバックミラーアセンブリ。
【請求項１５】
バックミラーアセンブリであって、
電気光学アセンブリ及び表示モジュールを有するハウジングと、
前記ハウジング内に配置された回路基板と、
ヒートシンクに近接したエアムーバであって、入口から前記ハウジング内に周囲空気を引き込むように構成されたエアムーバと、
前記ハウジングの内側表面から延びるフランジと前記ハウジング内の支持ブラケットによって画定されるフランジとによって画定されるチャネルであって、前記エアムーバと流体連通し、前記ハウジング内に引き込まれる前記空気を前記ヒートシンクの上部を横切って方向付けるように構成されたチャネルと、
を備えたことを特徴とするバックミラーアセンブリ。
【請求項１６】
前記電気光学アセンブリは、概して明るい状態と概して暗い状態との間で動作可能である
ことを特徴とする請求項１５に記載のバックミラーアセンブリ。
【請求項１７】
前記チャネルと流体連通する通気孔
を更に備え、
前記通気孔は、前記ハウジングを通して画定されるマウント開口部に近接して位置付けられている
ことを特徴とする請求項１５または１６に記載のバックミラーアセンブリ。
【請求項１８】
車両の外部風景の画像を表示するように構成された表示装置
を更に備えたことを特徴とする請求項１５乃至１７のいずれか一項に記載のバックミラーアセンブリ。
【請求項１９】
前記エアムーバ及び前記チャネルは、前記ハウジングの下部を通して画定される前記入口と流体連通している
ことを特徴とする請求項１５乃至１８のいずれか一項に記載のバックミラーアセンブリ。
【請求項２０】
前記エアムーバは、前記ヒートシンクに結合されている
ことを特徴とする請求項１５乃至１９のいずれか一項に記載のバックミラーアセンブリ。
【発明の詳細な説明】
【技術分野】
【０００１】
本開示は、一般に、バックミラーアセンブリに関し、より詳細には、一体化された冷却システムを備えた全画面表示ミラーに関する。
【発明の概要】
【０００２】
本開示の一態様によれば、バックミラーアセンブリは、そこから延在するマウントを有するハウジングと、ハウジング上に配置された回路基板と、ヒートシンクに近接したエアムーバと、を備える。エアムーバは、入口からハウジング内に周囲空気を引き込むように構成される。エアムーバと流体連通するチャネルが、ハウジング内に引き込まれる空気をヒートシンクの上部及び発光ダイオード（ＬＥＤ）プリント回路基板を横切って方向付けるように構成される。バックミラーアセンブリはまた、マウントに隣接し、チャネルと流体連通する出口を備える。
【０００３】
本開示の別の態様によれば、バックミラーアセンブリは、電気光学アセンブ及び表示モジュールを有するハウジングと、ハウジング上に配置された回路基板と、ヒートシンクに近接したエアムーバと、を含む。エアムーバは、入口からハウジング内に周囲空気を引き込むように構成される。エアムーバと流体連通するチャネルが、ハウジング内に引き込まれる空気をヒートシンクの上部を横切って方向付けるように構成される。バックミラーアセンブリはまた、ハウジングの後部壁内に出口を備える。
【０００４】
本開示の更に別の態様によれば、バックミラーアセンブリは、電気光学アセンブリ及び表示モジュールを有するハウジングを含む。回路基板がハウジング内に配置される。バックミラーアセンブリはまた、ヒートシンクに近接したエアムーバを備える。エアムーバは、入口からハウジング内に周囲空気を引き込むように構成される。バックミラーアセンブリはまた、ハウジングの内側表面から延びるフランジと、ハウジング内の支持ブラケットによって画定されるフランジと、によって画定されるチャネルを備える。当該チャネルは、エアムーバと流体連通し、ハウジング内に引き込まれる空気をヒートシンクの上部を横切って方向付けるように構成される。
【０００５】
本開示の、これら及び他の特徴、利点、及び目的は、以下の明細書、特許請求の範囲、及び添付図面を参照して、当業者によって更に理解及び認識されることになる。
【図面の簡単な説明】
【０００６】
図面において、
【０００７】
【図１Ａ】図１Ａは、本開示の冷却システムが組み込まれたバックミラーアセンブリの正面斜視図である。
【０００８】
【図１Ｂ】図１Ｂは、表示モジュールを露出させるために構成要素が取り除かれた、バックミラーアセンブリの正面斜視図である。
【０００９】
【図２Ａ】図２Ａは、ガラス基板、ディスプレイ及び光ガイドが取り除かれた、本開示の冷却システムを備えたバックミラーアセンブリの正面斜視図である。
【００１０】
【図２Ｂ】図２Ｂは、一次回路基板及び表示モジュールが取り除かれた、本開示の冷却システムを備えたバックミラーアセンブリの正面斜視図である。
【００１１】
【図２Ｃ】図２Ｃは、表示モジュール及びヒートシンクが取り除かれた、本開示の冷却システムを備えたバックミラーアセンブリの正面斜視図である。
【００１２】
【図３】図３は、ガラス基板、プリント回路基板及び表示装置を含む構成要素が取り除かれた、本開示の冷却システムを備えたバックミラーアセンブリの正面斜視図である。
【００１３】
【図４】図４は、内部ブラケットが取り除かれ、気流の一般的な方向を示している、本開示の図２Ａのバックミラーアセンブリの正面斜視図である。
【００１４】
【図５】図５は、同じく気流の一般的な方向を示している、本開示のバックミラーアセンブリのエアムーバ及びハウジングの底部斜視図である。
【００１５】
【図６】図６は、本開示のバックミラーアセンブリのハウジング及びマウントの背面図である。
【００１６】
【図７】図７は、エアムーバを示すためにハウジングが取り除かれた、本開示の冷却システムを備えたバックミラーアセンブリの第一の側面後方斜視図である。
【００１７】
【図８】図８は、エアムーバを示すためにハウジングが取り除かれた、本開示の冷却システムを備えたバックミラーアセンブリの第二の側面後方斜視図である。
【００１８】
【図９】図９は、ハウジングが取り除かれ、ヒートシンク及びプリント回路基板にわたって移動する気流線を示している、本開示のバックミラーアセンブリの後方斜視図である。
【００１９】
【図１０】図１０は、ハウジングが取り除かれ、ヒートシンク及びプリント回路基板にわたって移動する気流線を示している、本開示のバックミラーアセンブリの別の後方斜視図である。
【００２０】
【図１１】図１１は、ハウジングが取り除かれ、ヒートシンク及びプリント回路基板にわたって移動する気流線を示している、本開示のバックミラーアセンブリの別の後方斜視図である。
【００２１】
【図１２】図１２は、異なる全画面表示ミラーアセンブリの様々な構成要素の温度値を示す表である。
【００２２】
【図１３】図１３は、本開示の冷却システムの性能値を示す表である。
【００２３】
【図１４】図１４は、本開示のバックミラーアセンブリの熱画像の正面図である。
【００２４】
【図１５】図１５は、本開示のバックミラーアセンブリの熱画像の正面図である。
【００２５】
【図１６】図１６は、本開示のバックミラーアセンブリの熱画像の正面図である。
【００２６】
【図１７】図１７は、本開示のバックミラーアセンブリの熱画像の背面上面斜視図である。
【００２７】
【図１８】図１８は、本開示のバックミラーアセンブリの熱画像の背面上面斜視図である。
【００２８】
【図１９】図１９は、本開示のバックミラーアセンブリの熱画像の背面上面斜視図である。
【発明を実施するための形態】
【００２９】
本発明の例証される実施形態は、主に、バックミラーアセンブリに関連する方法の工程及び装置の構成要素の組み合わせに属する。したがって、本装置の構成要素及び方法の工程は、該当する場合、本明細書の説明の利益を得る当業者には容易に明らかとなろう詳細によって本開示を不明瞭にしないように、本開示の実施形態の理解に関係する特定の詳細のみを示す図面において、慣習的記号によって表されている。さらに、説明及び図面において、同様の数字は、同様の要素を表す。
【００３０】
本明細書における記述の目的のために、用語「上部の」、「下部の」、「右の」、「左の」、「後方の」、「前方の」、「垂直の」、「水平の」、及びそれらについての派生語は、図１Ａにおいて関連付けられた開示に関するものとする。別様に述べられない限り、用語「前方の」は、装置を見ることを意図される者により近い装置の表面を指すものであり、用語「後方の」は、装置を見ることを意図された者からより離れた装置の表面を指すものである。しかしながら、それとは逆に明確に特定されたもの以外は、本発明はさまざまな代わりの配向をとり得る、と理解されるべきである。添付図面に図示され、かつ以下の明細書に記述された特定のデバイス及びプロセスは、添付された特許請求の範囲において定義された発明概念の単なる例示的な実施形態であることも理解されるべきである。したがって、本明細書に開示された実施形態に関する特定の寸法及び他の物理的特性は、特許請求の範囲が明示的に別段に述べない限り、限定するものと見なされるべきではない。
【００３１】
用語「ｉｎｃｌｕｄｉｎｇ（含む）」、「ｃｏｍｐｒｉｓｅｓ（備える）」、「ｃｏｍｐｒｉｓｉｎｇ（備える）」、または任意の他の変形は、要素のリストを備えるプロセス、方法、物品、または装置が、それらの要素のみを含むのではなく、このようなプロセス、方法、物品、または装置に明示的に列挙されもせず、固有でもない他の要素を含んでもよいように、非排他的包括にわたるように意図される。「ｃｏｍｐｒｉｓｅｓ  ａ．．．」によって始められる要素は、さらなる制約を受けずに、その要素を備えるプロセス、方法、物品、または装置において、追加の同一要素の存在を妨げない。
【００３２】
図１Ａ乃至図１９を参照すると、参照符号１０は、全体的に、冷却システム１１を備えたバックミラーアセンブリを示している。バックミラーアセンブリ１０は、そこから延在するマウント１４を有するハウジング１２を備える。回路基板アセンブリ１６がハウジング１２上に配置されており、エアムーバ２０がヒートシンク５４に近接している。エアムーバ２０は、入口２２からハウジング１２内に周囲空気を引き込むように構成されている。チャネル２４が、エアムーバ２０と流体連通しており、ハウジング１２内に引き込まれた空気をヒートシンク５４の上部を横切って方向付けるように構成されている。バックミラーアセンブリ１０はまた、マウント１４に隣接した、チャネル２４と流体連通した出口３０を備える。
【００３３】
再び図１Ａを参照して、バックミラーアセンブリ１０は、一般的に、車両の内部で使用するように構成される。マウント１４は、車両フロントガラスの内側表面と連結されたフロントガラスボタンと動作可能に連結され得る。別の方法として、マウント１４は、車両ヘッドライナーと動作可能に連結され得る。当然のことながら、本明細書に記載のバックミラーアセンブリ１０は、単一ボールマウント、二ボールマウント、または他の枢動アセンブリ、と併用され得て、ハウジング１２は、様々な形状及び構造を取り得る。バックミラーアセンブリ１０はまた、ガラス基板３２を含む。ガラス基板３２は、透過性及び／または反射性を有するガラスの単一のパネルであり得る。あるいは、ガラス基板３２は、電気光学アセンブリ４２を含み得る。電気光学アセンブリ４２は、同一出願人による、米国特許第６，２３９，８９８号及び第６，５９７，４８９号に記載されるエレクトロクロミックアセンブリを含み得て、その内容は当該参照によりその全体が本明細書に組み込まれる。また、本明細書に記載の電気光学アセンブリ４２は、さまざまな形状及び構造を取り得ることも理解されるであろう。ガラス基板３２は、上部壁３４、底部壁３５、並びに第一の側壁３６及び第二の側壁３７それぞれの間で、ハウジング１２内に位置付けられる。バックミラーアセンブリ１０の内部構成要素は、ガラス基板３２とハウジング１２の後部壁３８との間に位置付けられる。
【００３４】
ここで図１Ｂを参照すると、図示されたバックミラーアセンブリ１０は、ガラス基板３２の後ろに配置された表示モジュール４０を含む。全画面表示ミラー（ＦＤＭ）構造を有するバックミラーアセンブリ１０に対して、熱的負荷が増大する場合がある。これは、一部のＦＤＭ構造は、撮像装置によって車両の内側または外側から撮影された画像またはビデオである外部風景または内部図を表示する表示モジュール４０を含むからである。ＦＤＭは、当該ＦＤＭが使用されている時により高い熱的負荷を生成する高速プロセッサを含む場合がある。表示モジュール４０は、より積極的な熱管理技術を必要とし得る過剰な熱を生成し得る。表示モジュール４０の画像を生成する撮像装置は、車両内または車両上のどこに位置付けられてもよい。
【００３５】
ここで図２Ａを参照すると、バックミラーアセンブリ１０は、表示モジュール４０、電気光学アセンブリ４２、光ガイド、及びベゼル４４がバックミラーアセンブリ１０から取り除かれて、全体的に例示されている。これらの構成要素が取り除かれることで、無線周波数（ＲＦ）シールド４６、ハウジング１２の底部壁３５上に配置された下側ボタンアセンブリ５１のボタン５０のための下側移動ガイド４８、及び、回路基板アセンブリ１６、が露出している。回路基板アセンブリ１６は、ＲＦシールド４６の後ろに配置された一次回路基板５２と、ＲＦシールド４６の上方に配置された二次回路基板５６と、を含む。ヒートシンク５４は、一次回路基板５２の後ろに配置された縦方向部分を含み、当該一次回路基板５２の通常の動作中に当該一次回路基板５２から熱を引き出すように位置付けられる。ヒートシンク５４はまた、二次回路基板５６から熱を引き離し、ハウジング１２の上部壁３４の下にあるバックミラーアセンブリ１０の上部を横切って延在する上側横方向部分を含む。二次回路基板５６は、概して、エッジ点灯表示のために、一次回路基板５２に対して直交構成で整列される。もっとも、二次（ＬＥＤ）回路基板５６は、表示モジュール４０の真後ろに配置され得ることも意図される。このため、一次回路基板５２及び二次回路基板５６によって生成される熱的負荷がバックミラーアセンブリ１０の上部の近くに集中する場合がある。結果として、エアムーバ２０は、ヒートシンク５４、一次回路基板５２、及び、二次回路基板５６を冷却するために、バックミラーアセンブリ１０の上部にわたって空気を移動させるように構成される。
【００３６】
次に、一次回路基板５２及びＲＦシールド４６が取り除かれた後のヒートシンク５４を例示する図２Ｂを参照すると、二次回路基板５６は、ヒートシンク５４の上側横方向部分に隣接して示されている。下側移動ガイド４８も示されている。下側移動ガイド４８は、ボタン５０を一次回路基板５２（図２Ａ）の底面上のスイッチと整列させるのを助ける。
【００３７】
図２Ｃを参照すると、ヒートシンク５４が取り除かれ、電気光学アセンブリ４２を含むバックミラーアセンブリ１０が示されており、バックミラーアセンブリ１０の内部のエアムーバ２０の配置を示している。図示した実施形態では、エアムーバ２０は、ハウジング１２の底部壁３５内に画定された入口２２内に空気を引き込むように構成されたブロアの形態である。図２Ｂ及び図２Ｃに示される実施例は、ハウジング１２の底部壁３５を通って延在する幾つかの開口部によって画定される入口２２を示す。もっとも、入口２２は、ハウジング１２の下部を通してなど、ハウジング１２上のどこに配置されてもよく、様々な形態を取り得る。空気は、入口２２を通してブロア内に引き込まれ、一次回路基板５２及び二次回路基板５６、ならびにヒートシンク５４に隣接するチャネル２４に向かって押し出される。エアムーバ２０は、所定の空間内に空気を引き込むか空気を押し出すように構成された任意の装置であってもよく、ブロアに限定されないことが理解されよう。また、エアムーバ２０は、本明細書で具体的に開示される以外の方法で、バックミラーアセンブリ１０全体を通して空気を移動させるように構成されてもよいことが理解されよう。図示する通り、エアムーバ２０は、当該エアムーバ２０がハウジング１２内の最小の空間を占めるように、実質的に小さく、比較的薄い断面を含み得る。
【００３８】
図３を参照すると、ハウジング１２の底部壁３５、上部壁３４、第一の側壁３６及び第二の側壁３７、及び後部壁３８は、ハウジング１２の内側表面を一緒に画定し、当該内側表面内には、バックミラーアセンブリ１０の構成要素が存在する。当該内側表面は、バックミラーアセンブリ１０に幾らかの追加的な構造的一体性を提供するように構成された側面フランジ７０を含む。さらに、ハウジング１２の内側表面は、エアムーバ２０によって移動される空気を方向付けるのを助けるように構成された複数の上側フランジ７２を含む。上側フランジ７２は、マウント１４と動作可能に連結された支持ブラケット７６のブラケットフランジ７４と協働して機能する。したがって、上側フランジ７２及びブラケットフランジ７４は、それを通して周囲空気がバックミラーアセンブリ１０の内部に移動されるチャネル２４を一緒に画定する。
【００３９】
ここで、図４乃至図８を参照して、支持ブラケット７６が取り除かれると、チャネル２４におけるギャップ８０が、ハウジング１２の内部の上側フランジ７２の間に見える。前述したように、支持ブラケット７６がハウジング１２内に位置付けられる場合、支持ブラケット７６は、ハウジング１２の上側フランジ７２と共に、それを通して空気がバックミラーアセンブリ１０にわたって移動されるチャネル２４を画定する。マウント１４は、マウント開口部８６においてハウジング１２の後部壁３８内に延在する。マウント１４はまた、ハウジング１２の後部壁３８に連結されてもよく、または、別の形態を取り得ることが理解されよう。ハウジング１２の底部壁３５の入口２２を通して引き込まれた空気は、ヒートシンク５４及び二次回路基板５６の上部を横切って矢印Ａの方向に押し出される。空気が、上側フランジ７２、支持ブラケット７６及びハウジング１２の上部壁３４の間に画定されるチャネル２４を通って移動するのにつれて、当該空気は、ヒートシンク５４並びに一次回路基板５２及び二次回路基板５６の両方に対して冷却効果を有する。次に、温められた空気は、出口３０並びにマウント１４とマウント開口部８６との間のギャップに向けて方向付けられ、これらを通してハウジング１２から外に排出される。別の例では、このマウント開口部８６が単独で出口３０として使用される。図示する通り、出口３０は、マウント開口部８６に近接した、ハウジング１２の後部壁３８に画定される複数の通気孔９０を含む。例示される図中の通気孔９０は、マウント開口部８６に近接した、ハウジング１２の後部壁３８の球根状部分９２を通して画定されている。出口３０に対する他の形態も意図されることが理解されるであろう。また、入口２２を通して引き込まれる気流の方向は、気密経路ではないことも理解されるであろう。むしろ、気流の方向は、本明細書で説明され、図９乃至図１１に例示されるように、ハウジング１２内の様々なな開口を通過するように具体的に構成される。
【００４０】
ここで、図９乃至図１１を参照して、ヒートシンク５４の裏面がブロアによって生じた空気線１００と共に示された、幾つかの気流モデルが示されている。ここで、ハウジング１２及び幾つかの他の構成要素は、図９乃至図１１に示される気流モデルそれぞれの空気線が見えるように、取り除かれている。図示する通り、入口２２（図２Ｃ）を通して引き込まれた空気は、大部分が流れチャネル２４を通してバックミラーアセンブリ１０の上部を横切って吹き出される。次に、当該空気は、温められた空気がマウント１４に近接した出口３０を通して離れるまで、ヒートシンク５４及び一次回路基板５２の裏面上を循環する。図９から理解されるように、ハウジング１２の内部に示される空気線１００は、チャネル２４が空気の全てを移動させるのではなく実質的にその一部を移動させるように、ハウジング１２内に画定される様々な開口及びスロットを通して循環する。この特徴は、構造によるものであり、一般的に、入口２２を通して引き込まれた空気が、より高い熱的荷重を有する場合があるプリント回路基板アセンブリ１６及びヒートシンク５４の特定の領域を冷却することを許容するように構成される。ヒートシンク５４によって並びに一次回路基板５２及び二次回路基板５６によって温められた空気は、次に、出口３０を通して環境に排出される。
【００４１】
図１２及び図１３に示される表は、全画面表示ミラー１．０、ブロアを有さない全画面表示ミラー２．０、及びブロアを有する全画面表示ミラー２．０、に対してシミュレートされたガラスの温度を示す。ガラス基板３２及びハウジング１２（筐体）の両方に対して容易に理解されるように、冷却は、第三の列に示されている、ブロアの追加の結果として生じる。プリント回路基板アセンブリ１６、ヒートシンク５４、及び表示モジュール４０を含むバックミラーアセンブリ１０の内部の構成要素は、ブロアによる冷却状態で動作するため、バックミラーアセンブリ１０の耐用寿命及び機器の操作性が増大する。図１３の表は、６つの実験を示している。第１の実験（Ｅ０１）では、エアムーバ２０の回転は測定されず、ＬＥＤパルス変調は、３１，０００と測定された。発泡体シールは塗布されず、ガラス温度は５２．３℃である一方で、ハウジング１２または筐体の温度は５６．４℃であった。実験Ｅ０２〜Ｅ０６においては、様々な特徴が変更された。特に、毎分回転数が増大するのにつれて、ガラス基板３２及びハウジング１２（筐体）の温度は低下する傾向にある。さらに、実験Ｅ０６に示すように、ブロアの適用により、より高いＬＥＤパルス幅変調が許容される可能性がある。この表は、追加的なブロアが、バックミラーアセンブリ１０内の構成要素の冷却に対してポジティブな影響を有することを明確に示している。
【００４２】
ここで、図１４を参照すると、ブロアを有さない全画面表示ミラー１．０が図示されている。ガラス基板３２の上部の温度は、５５．８２℃である。図１５は、５３．３５℃で動作するブロアを有さない第二世代全画面表示ミラー２．０を例示する。当該全画面表示ミラー２．０の動作は、全画面表示ミラー１．０の動作よりもすでに冷却されているが、ブロアが全画面表示ミラー２．０に追加される場合（図１６に示す）には、ガラス基板３２の動作温度はさらに、４５．４９℃まで低下する。これは、ガラス基板３２の顕著な冷却であり、これにより、ガラス基板３２及びバックミラーアセンブリ１０内に配置された構成要素の良好な機能が可能になる。顕著な冷却はまた、高速プロセッサに対するオプションを提供し、当該高速プロセッサはさらなる熱を生成するが、これはエアムーバ２０の追加によって対処され得る。
【００４３】
図１７乃至図１９に関して、ハウジング１２の温度は同様に反応する。図１７は、全画面表示ミラー１．０のハウジング１２の温度を例示する。ハウジング１２の上部壁３４にわたって測定される様々な温度は、５０．０２°Ｃ〜５０．９５°Ｃの範囲である。全画面表示ミラー２．０は、全画面表示ミラー１．０よりもハウジング１２において温かく、ハウジング１２の上部壁３４において測定される５６．６９℃〜５６．８３℃の温度を含む。ブロアが全画面表示ミラー２．０に追加されると、ハウジング１２の上部壁３４における温度は、４７．８６°Ｃ〜３９．２９°Ｃの温度にまで低減される。明らかに、全画面表示ミラーへのブロアの適用は、より冷却されたガラス基板３２及びより冷却されたハウジング１２をもたらす。
【００４４】
記述された開示及び他の構成要素の構築は、いなかる特定の材料にも限定されないことが、当業者によって理解されるだろう。本明細書に開示された発明の他の例示的な実施形態は、本明細書に別段の記載がある場合を除き、広範な材料から形成され得る。
【００４５】
本開示用に、用語「ｃｏｕｐｌｅｄ（結合された）」（ｃｏｕｐｌｅ，ｃｏｕｐｌｉｎｇ，ｃｏｕｐｌｅｄなどその形式のすべてにおいて）は、直接的であれ間接的であれ、互いに２つの構成要素（電気的または機械的）が接合することを概して意味する。このような接合は、本質的に静止状態かまたは本質的に可動状態であってもよい。このような接合は、２つの構成要素（電気的または機械的）、ならびに、互いとまたは２つの構成要素と１つの単体として一体成形される付加的中間部材で、達成されてもよい。このような接合は、本質的に永続的であってよいか、または、別段の記載がない限り、本質的に取外し可能つまり遊離可能であってもよい。
【００４６】
例示的な実施形態において示されるような本開示の要素の構築及び配置は、単に説明的であることに注意することも重要である。本発明の少数の実施形態だけが、本開示において詳細に記述されているが、本開示を検討する当業者は、列挙された主題の新規の教示及び利点から逸脱することなく、多くの修正が可能（例えば、さまざまな要素のサイズ、寸法、構造、形及び比率、パラメータ値、取り付け方法、材料の使用、色、向きなど）であることを容易に認識するだろう。例えば、一体成形として示される要素は、複数の部品が一体成形されてもよいように示される複数の部品または要素から構成されてもよく、インターフェースの操作が逆にまたは他の態様に変化されてもよく、システムの構造及び／または部材またはコネクタまたは他の要素の長さまたは幅が変化されてもよく、要素間に提供された調整位置の性質または個数が変化されてもよい。システムの要素及び／またはアセンブリは、任意の広範な色、質感、及び組合せにおいて、十分な強度または耐久性を提供する、任意の広範な材料から構成されてもよい。その結果、すべてのこのような修正は、本発明の範囲内に含まれるように意図される。他の代用、修正、変化、及び省略は、本発明の精神から逸脱することなく、所望の他の例示的な実施形態のデザイン、操作条件及び配置において、なされ得る。
【００４７】
いずれの説明されたプロセスまたは説明されたプロセス内のステップも、その他の開示されたプロセスまたはステップと組み合わされ、本開示の範囲内で構造を形成し得ることが理解されるであろう。本明細書に開示された例示的な構造及びプロセスは、説明のためのものであり、制限として解釈してはならない。
【００４８】
変形及び修正が、本開示の概念から逸脱することなく、前述の構造及び方法においてなされ得ることも理解されるべきであり、更に、このような概念は、特許請求の範囲がそれらの言葉で別段に明確に述べられていない限り、以下の特許請求の範囲に含まれるものとされることが理解されるべきである。
【図１Ａ】
2021519238.tif 000003
【図１Ｂ】
2021519238.tif 000004
【図２Ａ】
2021519238.tif 000005
【図２Ｂ】
2021519238.tif 000006
【図２Ｃ】
2021519238.tif 000007
【図３】
2021519238.tif 000008
【図４】
2021519238.tif 000009
【図５】
2021519238.tif 000010
【図６】
2021519238.tif 000011
【図７】
2021519238.tif 000012
【図８】
2021519238.tif 000013
【図９】
2021519238.tif 000014
【図１０】
2021519238.tif 000015
【図１１】
2021519238.tif 000016
【図１２】
2021519238.tif 000017
【図１３】
2021519238.tif 000018
【図１４】
2021519238.tif 000019
【図１５】
2021519238.tif 000020
【図１６】
2021519238.tif 000021
【図１７】
2021519238.tif 000022
【図１８】
2021519238.tif 000023
【図１９】
2021519238.tif 000024
【国際調査報告】
2021519238.tif 000025
2021519238.tif 000026